【手続補正書】
【提出日】平成21年10月6日(2009.10.6)
【手続補正１】
【補正対象書類名】特許請求の範囲
【補正対象項目名】全文
【補正方法】変更
【補正の内容】
【特許請求の範囲】
【請求項１】
少なくとも１つの水酸化物と少なくとも１つのアルコールから本質的になる塩基性溶液で第一の支持体の表面を清浄にする工程（ただし、第一の支持体は離型剤を含む反応射出成形部品である。）、
前記の清浄にされた表面または第二の支持体に下塗剤を塗布する工程（ただし、第二の支持体は透明なグラスパネルを含む。）、
第一の支持体と第二の支持体とを接着剤で結合する工程
を含む２つの支持体を接着する方法。
【請求項２】
前記の清浄にする工程が、前記塩基性溶液を含む塗布用具で前記表面を拭くことを含み、そして塗布用具で前記表面を拭くことによって前記表面を乾燥させることを含む、請求項１に記載の方法。
【請求項３】
前記反応射出成形部品が、少なくとも１つのイソシアネートプレポリマーと少なくとも１つのポリオールエーテルまたはアミンエーテルとの反応生成物である、請求項１または２に記載の方法。
【請求項４】
前記反応射出成形部品がポリウレタンまたはポリ尿素を含む、請求項１〜３のいずれか１項に記載の方法。
【請求項５】
前記接着剤がポリウレタンを含む、請求項１〜４のいずれか１項に記載の方法。
【請求項６】
前記塩基性溶液が、イソプロパノール中の約１．５質量％の水酸化カリウムから本質的になる、請求項１〜５のいずれか１項に記載の方法。
【請求項７】
前記塩基性溶液が、少なくとも１つのアルコールに少なくとも１つの水酸化物を１０．０質量％未満溶かした溶液である、請求項１〜５のいずれか１項に記載の方法。
【請求項８】
前記塩基性溶液が、少なくとも１つのアルコールに少なくとも１つの水酸化物を０．５〜５．０質量％溶かした溶液である、請求項１〜５のいずれか１項に記載の方法。
【手続補正２】
【補正対象書類名】明細書
【補正対象項目名】００１１
【補正方法】変更
【補正の内容】
【００１１】
清浄剤の塗布と乾燥の間の時間は、１秒未満から数分（たとえば３０分以上）の範囲で変えることができる。たとえば、それらの工程は、それらの工程の間に感知できる時間なしに、直ちに順々に行なってもよい。あるいは、１つの工程の完了ともう１つの工程の開始の間に、気づくほどの時間が存在してもよい。１つの実施態様において、乾燥工程は、塗布工程の完了から１分以内に始まる。
【手続補正３】
【補正対象書類名】明細書
【補正対象項目名】００１３
【補正方法】変更
【補正の内容】
【００１３】
第一の部品は、任意の適切な材料、たとえば金属（たとえば鋼）、セラミックス、プラスチック、複合材料（たとえば繊維または粒子強化材料、積層品など）、それらの組み合わせなどで作ることができる。適切なプラスチックとしては、熱可塑性樹脂、熱硬化性樹脂、天然ゴム、エラストマー熱可塑性樹脂（たとえばポリ塩化ビニルまたは熱可塑性ポリウレタン）、またはそれらの組み合わせが挙げられる。強化された、強化されていない、充填剤入り、および充填剤を含まないプラスチックも、その部品用に使用することができる。第一の部品は望まれる用途において使用するために任意の適した形（たとえば、シート、フィルム、パネル、ブロック、成型品、造形品など）をとることができる。第一の部品の材料は、望まれる色を得るために顔料を含んでもよく、あるいは、第一の部品は、塗料のような着色した被覆を含んでもよい。
【手続補正４】
【補正対象書類名】明細書
【補正対象項目名】００１４
【補正方法】変更
【補正の内容】
【００１４】
好ましくは、第一の部品は反応射出成形（ＲＨＭ）法を使用して製造される。より好ましくは、第一の部品の材料は、ＲＩＭ法から生じるエラストマー材料を含む。たとえば、イソシアネートプレポリマーとポリオールまたはアミンエーテルとの組み合わせは、ポリウレタンまたはポリ尿素を作るのに有用な他の成分と同様に有用であり得る。バイエル・マテリアル・サイエンス社（Bayer Material Science）から商業上入手可能な物質としては、Ｂａｙｄｕｒ（登録商標）、Ｐｒｉｓｍ（登録商標）、Ｂａｙｆｌｅｘ（登録商標）、Ｂａｙｆｉｔ（登録商標）およびＢａｙｔｅｃ（登録商標）の商標で売られているものが挙げられる。同様に、レクチセル社（Recticel）によって提供される物質もまた適している。金型から部品の分離を容易にするために、１つ以上の離型剤をその材料に混ぜてもよい。あるいは、表面用離型剤が使用されてもよい（たとえば、ＲＩＭ法を行う前に、それらは金型に塗布される。）。シリコーン系離型剤、ステアリン酸亜鉛含有離型剤などのような任意の適切な離型剤を使用することができ、たとえばケム・トレンド社（Chem-Trend）（ミシガン州ハウエル）によって提供されるものを例示できる。
【手続補正５】
【補正対象書類名】明細書
【補正対象項目名】００１９
【補正方法】変更
【補正の内容】
【００１９】
ポリエステル、ポリアミド、ポリウレタン、ポリエーテル、ポリオレフィン、エポキシ、エチレン酢酸ビニル、ウレタン、（メタ）アクリル（限定するものではないがシアノアクリレートを含む。）、シラン、シリコーン、チオエーテル、フルオロシリコーン、フルオロカーボン、それらの組み合わせなどのような任意の適切な接着剤の系統群から選択された接着剤を用いることができる。接着剤は、高温エポキシ樹脂、高温アクリル樹脂、ポリイミド、ハイブリッドポリイミド／エポキシ樹脂接着剤、エポキシノボラック／ニトリルゴム接着剤、ポリチオエーテルエポキシなどであってもよい。あるいは、有機ボラン／アミン錯体および１種以上のオレフィン性不飽和を有する単量体、オリゴマーまたは重合体を含む接着剤を使用してもよい。その場合は、その錯体は、錯体を解離させる化合物または温度によって解離させられる。典型的な組成物は、発明の名称が「アミン有機ボラン錯体重合開始剤および重合性組成物」の米国特許第６，７０６，８３１号明細書およびその関連特許および出願に開示されており、それらは引用によってここに組み入れられる。
【手続補正６】
【補正対象書類名】明細書
【補正対象項目名】００２２
【補正方法】変更
【補正の内容】
【００２２】
理論に束縛されることは望まないが、塩基性清浄剤の塗布は、第一の部品の表面の極性を増加させ、次には、特に第一の部品がプラスチック（たとえばＲＩＭプラスチック）からなる場合には、第一の部品に接着剤または下塗剤が接着する能力を増加させると考えられている。また、清浄剤は、第一の部品（特にプラスチックの部品）の表面の湿潤性を改善し、それはまたその部品に接着する接着剤または下塗剤の能力を増加させるとも考えられている。また、清浄剤は、離型剤の使用によって導入されるかもしれないもののような第一の部品の表面上に存在する任意の酸を中和するとも考えられている。また、最大の利点は、ポリウレタン接着剤と組み合わせてＲＩＭ法に従って作られたプラスチック上での清浄剤の使用において見いだされるとも考えられている。
【手続補正７】
【補正対象書類名】明細書
【補正対象項目名】００４１
【補正方法】変更
【補正の内容】
【００４１】
これらの表は、迅速ナイフ試験中に生じた破壊の種類および量を示す。たとえば、１００ＣＦは１００％の凝集破壊を意味し、そして、０ＣＦは接着層破損が生じたことを意味する。迅速ナイフ接着試験の結果は、ＲＩＭ部品の組成、離型剤または耐候試験条件にかかわらず、清浄剤の使用が凝集破壊の程度を改善したことを示す。